(57)【要約】【課題】  ＴＶ放送受信機用のスクリーンセーバー機能を提供する。また他の目的として、スクリーンセーバーが起動した間の選局番組の要約を表示する機能を提供する。【解決手段】  データ放送表示中のＴＶ受信機が所定の時間操作されていないことを検出するタイマー監視手段と、所定の時間操作されない場合は、ＴＶ受信機の表示を指定されたスクリーンセーバーコンテンツの表示に自動的に切り替え、このスクリーンセーバーコンテンツ表示中にＴＶ受信機に対して操作入力が発生すると元のデータ放送表示画面に復帰する制御を行なう画面切替え手段とを備えて、ＴＶ用スクリーンセーバー機能を提供する。また、元のコンテンツ表示画面に復帰する際、元のコンテンツの要約情報を取得し、復帰画面上に要約情報を表示させるためのボタンを設ける。【選択図】      図２
2005094299.tif 000002
【特許請求の範囲】
【請求項１】
データ放送表示中のＴＶ受信機が所定の時間操作されていないことを検出するタイマー監視手段と、所定の時間操作されない場合は、ＴＶ受信機の表示を指定されたスクリーンセーバーコンテンツの表示に自動的に切り替え、このスクリーンセーバーコンテンツ表示中にＴＶ受信機に対して操作入力が発生すると元のデータ放送表示画面に復帰する制御を行なう画面切替え手段と、を具備したＴＶ受信機。
【請求項２】
請求項１に記載のＴＶ受信機であって、前記画面切替え手段は、スクリーンセーバーコンテンツの表示に切り替える際に、データ放送表示画面中のいずれかの入力インターフェースの入力欄に入力中のデータがある時は、そのデータを所定のメモリ領域に退避し、元のコンテンツ表示に復帰する時には、前記退避したデータを元のコンテンツの表示画面中の該当する入力インターフェースの入力欄に戻すための入力データ復帰インターフェースオブジェクトを表示するように動作する入力途中データ退避手段を含んでいることを特徴とするＴＶ受信機。
【請求項３】
請求項１に記載のＴＶ受信機であって、前記画面切替え手段は、スクリーンセーバーコンテンツの表示に切り替える際に、その時の時刻を記憶し、元のコンテンツ表示に復帰する時に、スクリーンセーバーを起動してから復帰するまでの間の時間帯についての元のコンテンツの要約情報を所定のメモリ領域に記録し、復帰した元のコンテンツの表示画面に、前記記録した要約情報を表示させるためのインターフェースオブジェクトを表示するよう動作する要約情報表示手段を含んでいることを特徴とするＴＶ受信機。
【請求項４】
請求項１に記載のＴＶ受信機であって、視聴者のリモコン操作によりＴＶ受信機を一時的に前記画面切替え手段によるスクリーンセーバーコンテンツ表示への切替えを不能とする状態にする閲覧中指定設定解除手段を備えていることを特徴とするＴＶ受信機。
【請求項５】
ＴＶ受信機に受信され、選局されるとＴＶ受信機に内蔵されるＣＰＵに解釈されることにより、前記タイマー監視手段、および、前記画面切替え手段として動作する一連の命令を記述したスクリプトを含んだデータ放送番組データを放送することによりＴＶ受信機を請求項１から請求項４のいずれかに記載のＴＶ受信機として動作させる方法。
【請求項６】
ＴＶ受信機に受信され、選局されるとＴＶ受信機に内蔵されるＣＰＵに解釈されることにより、ＴＶ受信機を請求項１から請求項４のいずれかに記載のＴＶ受信機として動作させる前記タイマー監視手段、および、前記画面切替え手段として動作する一連の命令を記述したスクリプトを含んだデータ放送番組データ。
【請求項７】
ＴＶ受信機に受信され、選局されるとＴＶ受信機に内蔵されるＣＰＵに解釈されることにより、ＴＶ受信機を請求項１から請求項４のいずれかに記載のＴＶ受信機として動作させる前記タイマー監視手段、および、前記画面切替え手段として動作する一連の命令を記述したスクリプトの形に記述されたコンピュータプログラム。
【請求項８】
請求項７に記載のスクリプトとして記述されたプログラムを記録したコンピュータ読取り可能な記録媒体。
【発明の詳細な説明】
【技術分野】
【０００１】
本発明は、テレビ放送受信装置にスクリーンセーバー機能を提供する方法およびデータ放送番組のデータに関する。
【背景技術】
【０００２】
従来よりパソコン等では、一定時間操作入力が起こらないとスクリーンセーバーとして機能するアプリケーションが起動して、ディスプレイ画面の焼き付けを起こさないようにすることが行われている。
【０００３】
しかしながらＴＶ受信機においては、スクリーンセーバーが必要であるとの発想はこれまでなかった。従来のＴＶ放送においては、放送画面はＴＶカメラが撮像した映像が主体であり、例えばＣＧ映像などが放送中に挿入されるとしてもそれは通常の放送映像に比してごく短時間であり、輝度が高い映像が表示されたまま一定時間以上保持されるという状態が起こり得るという事態を想定する必要はなかった。しかしながら、データ放送を伴うデジタル放送サービスにおいては、ＴＶ受信機の映像表示画面中に設けられるデータ放送表示エリアにおいて輝度が極端に高い画像が表示され、かつ表示されたまま一定時間以上保持されたままになる状態が起こり得る。
【０００４】
そこでＴＶ受信機についてもスクリーンセーバー機能を提供するものとして画面焼き付け防止装置が提案されている（特許文献１参照）。
【特許文献１】特開２００２−３３０３６２号公報
【発明の開示】
【発明が解決しようとする課題】
【０００５】
特許文献１に係る発明では、ＴＶ受像機にＴＶ受像機が所定時間操作されていないことを検出する検出手段と、表示画面の変更を制御する変更手段を備えた画面や焼き付け防止装置をＴＶ受像機に備えなければならず、ＴＶ受像機側に特別なハードウエアまたは付加的機能を備えることを必要としている。本発明はこのような背景を考慮したものであって、ＴＶ受信機側に特別なハードウエアまたは付加的機能を備えることなしにスクリーンセーバー機能を提供することを課題とする。また、データ放送を表示する場合は、ＴＶ画面で比較的長文のテキストを読んだり、ＴＶ画面が入力フォームとして用いられたりする可能性があるため、このような従来にないＴＶ画面の使われ方に適したスクリーンセーバー機能を提供することを課題とする。
【課題を解決するための手段】
【０００６】
課題を解決するための第１の発明の基本の態様である第１の態様は、データ放送表示中のＴＶ受信機が所定の時間操作されていないことを検出するタイマー監視手段と、所定の時間操作されない場合は、ＴＶ受信機の表示を指定されたスクリーンセーバーコンテンツの表示に自動的に切り替え、このスクリーンセーバーコンテンツ表示中にＴＶ受信機に対して操作入力が発生すると元のデータ放送表示画面に復帰する制御を行なう画面切替え手段と、を具備したＴＶ受信機
である。
【０００７】
スクリーンセーバーコンテンツとしては、画面の焼き付けを起こさないようにする映像であれば何でもよい。本線映像をスクリーンセーバーコンテンツとして用いてもよい。または宣伝広告のために制作された番組をスクリーンセーバーコンテンツとして用いてもよい。また、スクリーンセーバーコンテンツが表示される範囲は、元のコンテンツ表示画面におけるデータ放送番組の表示領域の範囲としてもよいし、ＴＶ画面全面であってもよい。
【０００８】
第１の発明の好ましい第２の態様は、第１の態様に係るＴＶ受信機であって、前記画面切替え手段は、スクリーンセーバーコンテンツの表示に切り替える際に、データ放送表示画面中のいずれかの入力インターフェースの入力欄に入力中のデータがある時は、そのデータを所定のメモリ領域に退避し、元のコンテンツ表示に復帰する時には、前記退避したデータを元のコンテンツの表示画面中の該当する入力インターフェースの入力欄に戻すための入力データ復帰インターフェースオブジェクトを表示するように動作する入力途中データ退避手段を含んでいることを特徴とするものである。
【０００９】
入力データ復帰インターフェースオブジェクトとは、入力データ復帰ボタンのようなものでよい。入力途中データ退避手段を備えることにより、ＴＶ画面上で商品購入申込み等を行なっている最中に中座してその状態でスクリーンセーバー表示になった時、第三者がリモコンを操作することにより入力途中の情報が他人に見られてしまうことが避けられ、また入力データ復帰ボタンを選択することにより、入力途中のデータが復帰するため入力途中のデータを失うことを防ぐことができる。
【００１０】
第１の発明の好ましい第３の態様は、第１の態様に係るＴＶ受信機であって、前記画面切替え手段は、スクリーンセーバーコンテンツの表示に切り替える際に、その時の時刻を記憶し、元のコンテンツ表示に復帰する時に、スクリーンセーバーを起動してから復帰するまでの間の時間帯についての元のコンテンツの要約情報を所定のメモリ領域に記録し、復帰した元のコンテンツの表示画面に、前記記録した要約情報を表示させるためのインターフェースオブジェクトを表示するよう動作する要約情報表示手段を含んでいることを特徴とするものである。
【００１１】
要約情報を表示させるためのインターフェースオブジェクトとしては、要約表示ボタンのようなものでよい。要約情報表示手段を備えることにより、視聴者は中座していた間の番組の要約を画面に表示させて確認でき、違和感なく番組の続きを楽しむことができる。
【００１２】
第１の発明の好ましい第３の態様は、第１の態様に係るＴＶ受信機であって、視聴者のリモコン操作によりＴＶ受信機を一時的に前記画面切替え手段によるスクリーンセーバーコンテンツ表示への切替えを不能とする状態にする閲覧中指定設定解除手段を備えていることを特徴とするものである。
【００１３】
閲覧中設定解除手段は、例えば視聴者が画面上のある領域にリモコンのカーソルを合わせることで、その間は閲覧中設定状態となり、スクリーンセーバー表示への画面切替えができないようにする。この機能があることにより、長いテキスト表示を読んでいる間にスクリーンセーバーが起動されることを防ぐことができる。
【００１４】
課題を解決する第２の発明は、ＴＶ受信機に受信され、選局されるとＴＶ受信機に内蔵されるＣＰＵに解釈されることにより、前記タイマー監視手段、および、前記画面切替え手段として動作する一連の命令を記述したスクリプトを含んだデータ放送番組データを放送することによりＴＶ受信機を第１の発明のいずれかの態様に係るＴＶ受信機として動作させる方法である。
【００１５】
ここでスクリプトとは、ECMAScriptで記述されたスクリプトであってＢＭＬ（Broadcast Markup Language）で記述されたデータ中に含まれる部分を指す。ＢＭＬは、ＸＭＬ（eXtensible Markup Language）を基本にデータ放送用途に専用化した記述言語である。ＷＷＷブラウザがＨＴＭＬ（HyperText Markup Language）データを解釈してコンピュータ画面に表示するのと同じように、データ放送に対応した受信機は、ＢＭＬで記述されたデータ放送コンテンツデータ（以後単に「ＢＭＬデータ」と記す）を解釈してＴＶ画面に表示する機能を備えている。またＢＭＬは、データ放送画面上で動的な動作を表現可能とするために、ECMAScriptという手続き記述言語で、処理手順を記述させることができる。ECMAScriptは、オブジェクト指向スクリプト言語である。そして、受信機の不揮発メモリにデータを記録したり、画面表示の更新の一時的禁止、番組の録画予約などのための様々な放送サービス用拡張関数が用意されている。
【００１６】
課題を解決するための第３の発明は、ＴＶ受信機に受信され、選局されるとＴＶ受信機に内蔵されるＣＰＵに解釈されることにより、ＴＶ受信機を第１の発明のいずれかの態様に係るＴＶ受信機として動作させる前記タイマー監視手段、および、前記画面切替え手段として動作する一連の命令を記述したスクリプトを含んだデータ放送番組データである。
【００１７】
課題を解決するための第４の発明は、ＴＶ受信機に受信され、選局されるとＴＶ受信機に内蔵されるＣＰＵに解釈されることにより、ＴＶ受信機を請求項１から請求項４のいずれかに記載のＴＶ受信機として動作させる前記タイマー監視手段、および、前記画面切替え手段として動作する一連の命令を記述したスクリプトの形に記述されたコンピュータプログラムである。
【００１８】
前記タイマー監視手段、および、前記画面切替え手段として動作する一連の命令を記述したスクリプト部分は、他のデータ放送番組のためのＢＭＬデータに含めることにより、任意のデータ放送番組にスクリーンセーバー機能を加えるためのプログラムとして利用できる。
【００１９】
課題を解決するための第５の発明は、ＴＶ受信機に受信され、選局されるとＴＶ受信機に内蔵されるＣＰＵに解釈されることにより、ＴＶ受信機を請求項１から請求項４のいずれかに記載のＴＶ受信機として動作させる前記タイマー監視手段、および、前記画面切替え手段として動作する一連の命令を記述したスクリプトの形に記述されたコンピュータプログラムを記録したコンピュータ読取り可能な記録媒体である。
【発明の効果】
【００２０】
本発明により、テレビ画面の焼き付けを防止を防ぐことができる。また、ＴＶ画面で比較的長文のテキストを読んだり、ＴＶ画面が入力フォームとして用いられたりする可能性があるため、このような従来にないＴＶ画面の使われ方に適したスクリーンセーバー機能を提供できる。さらに、スクリーンセーバーされていた間の番組の要約を見ることができるので、番組中に席を離れても視聴者は違和感なく番組の続きを楽しむことができる。このようなスクリーンセーバー機能をＴＶ受信機側に特別なハードウエアまたは付加的機能を備えることなしに提供できるという顕著な効果を奏する。
【発明を実施するための最良の形態】
【００２１】
以下、図面を参照しながら本発明の最良の実施形態を説明する。図１は、本発明で想定するデジタルＴＶ受信システム１００を示す。３０は受信機本体、３１はＴＶモニタ、３２はアンテナ（ケーブルＴＶの場合は信号受信部）、３３はリモコンである。衛星放送（ＢＳ）、通信衛星（ＣＳ）、地上波放送局から放送信号を受ける場合、放送ケーブルを通してデジタル放送を受ける場合がある。データ放送の番組データは、デジタル放送の放送信号の一部としてＴＶ受信機３０に取込まれ、ＴＶ受信機３０内蔵の所定の記憶領域に保持される。データ放送番組の表示ボタン（ｄボタン）が押された時に、選局されている局のデータ放送番組データ（ＢＭＬで記述されたデータ）がＴＶ受信機内蔵のＣＰＵにより解釈実行されてデータ放送画面が表示され、リモコン３３による対話操作に応じた制御が行なわれる。尚、データ放送画面表示の中に本線映像を含むこともできる。その場合のＴＶ表示モニタ上のどの領域に本線映像を表示するかもＢＭＬにより記述される。
【００２２】
本発明に係るスクリーンセーバー機能を実現するタイマー監視手段及び画面切替え手段は、データ放送番組データの中にＢＭＬスクリプトとして記述することにより、ＴＶ受信機のＣＰＵがこのスクリプトを解釈実行することにより実現される。
【００２３】
図２は、本発明に係るＴＶ受信機のスクリーンセイバーの機能の概要を説明する画面遷移図である。図２で（Ａ）は本線映像表示時のＴＶ画面１００である。（Ｂ）はデータ放送番組を表示中のＴＶ画面を示す。（Ｂ）においては、データ放送が本線番組と連動している場合等によく利用される、データ放送表示を行ないながら本線映像も視聴できるＴＶ画面１１０と、データ放送番組だけを表示するＴＶ画面１１１の二つの場合がある。（Ａ）から（Ｂ）への遷移は視聴者がリモコン３３の「ｄ」ボタンを押すことにより、明示的に行われる。（Ｃ）は、スクリーンセイバーが動作した場合のＴＶ画面を示す。スクリーンセイバー動作中の画面は、本線映像をスクリーンセーバーとして用いる場合（図２のＴＶ画面１２０）、データ放送領域部分にスクリーンセーバーとして機能する動画コンテンツが表示される場合（図２のＴＶ画面１２１）、予め用意された広告宣伝用コンテンツがスクリーンセイバーとして機能する場合（図２のＴＶ画面１２２）がある。（Ｂ）から（Ｃ）への遷移は視聴者が一定時間以上リモコン３３の操作を行わなかった場合にスクリーンセイバーが起動して起こる。そしてスクリーンセイバーを解除した時に（Ｂ）に戻る。
【００２４】
図３から図６は本発明に係るスクリーンセーバー機能の動作を詳細に説明する流れ図である。以下、図３から図６の流れ図を参照しながら本発明に係るスクリーンセーバー機能を実現するタイマー監視手段及び画面切替え手段の働きを詳しく説明する。
【００２５】
視聴者がＴＶ受信機３０のリモコン３３を使用してＴＶ放送のあるチャンネルを選択した場合、本線映像、または本線映像がない場合は、データ放送画面がＴＶモニタ３１に直接表示される。本線映像が表示された場合は、データ放送をみるためにリモコンの「ｄ」ボタンを押さなくてはならない。このようにリモコンの選局により本線映像がないデータ放送番組が選択された場合、または、視聴者がデータ放送コンテンツを表示する為にリモコンの「ｄ」ボタンを押した場合は、ＴＶ受信機内蔵のＣＰＵは、放送電波から取込んでＴＶ受信機内の所定の記憶領域に一時記録してある当該チャンネルのデータ放送番組のＢＭＬデータを読み込む（Ｓ１０）。この結果、ＢＭＬで記述された表示フォーマットに従ってデータ放送番組がＴＶモニタ３１に表示される（Ｓ１２）。次に、ＢＭＬの記述の中にはこのコンテンツのスクリーンセーバー機能に関する設定情報が記載されているので、スクリーンセーバーが起動するまでの時間やスクリーンセーバーとしてどんなコンテンツを動かすかの指示情報（スクリーンセーバー設定情報）の記述をチェックする（Ｓ１４）。スクリーンセーバー設定情報が記述されていない場合はスクリーンセーバー機能なしと認識し、それ以後別の番組が選局されるまで、この番組については、スクリーンセーバー用のタイマ機能を使用せず、したがってスクリーンセーバー画面への画面遷移けっして起こらない（Ｓ１８）。
【００２６】
ステップＳ１４でスクリーンセーバー機能に関する記述がある場合は、入力イベントタイマ監視処理を行なうこととなる。
【００２７】
まず、時間カウンタの初期化を行い（Ｓ２２）、時間のカウントを開始する。時間カウンタはＢＭＬのタイマー関数を利用すれば実現することができる。利用者がリモコン操作等により何らかのアクションをとると、ＴＶ受信機は入力イベントが発生したと認識する（Ｓ２４）。イベントが発生しない間は、一定時間間隔で時間カウンタをインクリメントする（Ｓ２８）。時間カウンタの値を検査し（Ｓ３０）、所定の値を越えた場合は、一定時間以上入力イベントが発生せずＴＶ画面が変化しなかったことになるので閲覧中指定がされていない場合はスクリーンセーバーを起動することになる（Ｓ２６）。所定の時間を超えていない場合はステップＳ２４にもどり、何らかのイベント発生が起きるまでＳ２４→Ｓ２８→Ｓ３０→Ｓ２４のループを繰り返す。イベントが発生した場合は、時間カウンタを初期値にリセットするためステップＳ２２に戻る。（同時にＴＶ受信機本体３０は、当該入力操作に対する処理動作をおこなう。）データ放送画面表示中にリモコン３３の操作入力等により視聴者からの入力イベントが所定の時間間隔以内で絶えず発生している場合は、このステップＳ２２→Ｓ２４（→Ｓ２８→Ｓ３０→Ｓ２４）→Ｓ２２のループが繰り返され、結果的にスクリーンセーバーは起動されない。
【００２８】
前記閲覧中指定とは、ニュース番組など比較的多量のテキストが表示されそれを読むために時間がかかる場合等に、テキスト読み取り中にスクリーンセーバー画面に切り替わらないようにする機能である。例えば、表示画面上の或位置に閲覧中指定ボタンを表示し、このボタンにカーソルがフォーカスされている時は閲覧中指定の状態として、スクリーンセーバーの起動をしないようにする。閲覧中指定を解除するには、同ボタンへのフォーカスを外せばよい。
【００２９】
時間カウンタの値を検査し（Ｓ３０）、所定の値を越えたため、一定時間以上入力イベントが発生せずＴＶ画面が変化しなかったと判断してスクリーンセーバーを起動することになった場合の処理を以下に続ける。まず、現在表示中のＢＭＬ名と現在時刻（以降スクリーンセーバー起動時刻）を所定のメモリ領域に保存し（Ｓ３４）、あわせて、現在入力中のデータがないかどうか、入力データ保持用の一時メモリ領域をチェックする（Ｓ３６）。入力中のデータが存在する場合はそれを所定のメモリ領域に退避する（Ｓ３８）。次に、ステップＳ１４で確認したスクリーンセーバーコンテンツのＢＭＬデータを読み出し、これをＴＶモニタに表示する（Ｓ４０）。以後、視聴者からの新たなアクションが起きるまで、この状態を保持する。視聴者がリモコン操作等のアクションを起こした場合は、それを検知して（Ｓ４２）、データ放送画面に復帰する。
【００３０】
もとのデータ放送画面への復帰は次の手順で行なう。まず、スクリーンセーバー起動前のコンテンツに番組要約テーブルがあるかどうかをチェックする（Ｓ４４、スクリーンセーバー起動前のＢＭＬファイル名はステップＳ３４で退避されている）。ある場合は、スクリーンセーバー起動時刻から現在時刻までの間の要約を番組要約テーブルから取得し所定のメモリ領域に保存する（Ｓ４６）。そして要約読み込みフラグを１にセットして（Ｓ４７）、ステップＳ４８に進む。一方、スクリーンセーバー起動前のコンテンツに番組要約テーブルが含まれない場合は、要約読み込みフラグを０にセットして（Ｓ４５）、ステップＳ４８に進む。図７は要約テーブルの例を示す表である。キー時刻を、スクリーンセーバー起動時刻から現在時刻と比較して、該当する要約情報をメモリ領域に記録するわけである。
【００３１】
次にスクリーンセーバー起動前のＢＭＬファイルを読込んで（Ｓ４８）、データ放送コンテンツを表示する（Ｓ５０）。次に、先にセットした要約読み込みフラグをチェックして（Ｓ５１）、フラグが１の場合はステップＳ４６でメモリに保持した要約を表示させるための要約表示ボタンを画面に表示させる（Ｓ５２）。そして、スクリーンセーバー起動時にステップＳ３８で退避した入力データの復帰ボタンを画面に表示する（Ｓ５３）。次に、スクリーンセーバー設定情報をＢＭＬデータから読込む（Ｓ５４）。以後は、ステップＳ２２に進み入力イベントのタイマ監視処理に戻る。
【００３２】
以上図３〜図６のフローチャートにより本発明のスクリーンセーバー起動、切替えの動作を詳しく説明した。これらの起動、切り替えの動作は、データ放送の番組データとして放送局から放送されるＢＭＬデータ中に記述されたＢＭＬスクリプトがＴＶ受信機のＣＰＵに解釈されて実行されることによりＴＶ受信機において、前記説明したような機能を実現する。
【００３３】
また、スクリーンセーバー起動、切替えの動作を記述するスクリプト部分は、コンピュータのソースプログラムとして考えることができる。したがって、この部分だけをコンピュータのテキストファイルとして記録保存しておけば、このテキストファイルをデータ放送番組のＢＭＬファイルにコピーして利用することによりに、スクリーンセーバー起動切替え機能を提供できるデータ放送番組を効率よく制作することができる。
【００３４】
スクリーンセーバーコンテンツは、本線映像自体であってもよいし、広告用に制作された動画データであってもよい。すなわち放送局はスクリーセーバー画面を広告スペースとして広告主に提供することもできる。
【図面の簡単な説明】
【００３５】
【図１】本発明に係るＴＶ受信機の構成を説明する図である。
【図２】本発明に係るＴＶ受信機のスクリーンセーバーの機能の概要を説明する画面遷移図である。
【図３】本発明に係るＴＶ受信機のスクリーンセーバーの機能の動作を説明するフローチャートである。
【図４】本発明に係るＴＶ受信機のスクリーンセーバーの機能の動作（タイマ監視処理部分）を説明するフローチャートである。
【図５】本発明に係るＴＶ受信機のスクリーンセーバーの機能の動作（スクリーンセーバー画面切替え処理部分）を説明するフローチャートである。
【図６】本発明に係るＴＶ受信機のスクリーンセーバーの機能の動作（データ放送画面復帰処理部分）を説明するフローチャートである。
【図７】番組要約テーブルを説明する表である。
【符号の説明】
【００３６】
３０    ＴＶ受信機本体
３１    ＴＶモニタ
３２    アンテナ（信号受信部）
３３    リモコン
１００  デジタルＴＶ受信システム
【図１】
2005094299.tif 000003
【図２】
2005094299.tif 000004
【図３】
2005094299.tif 000005
【図４】
2005094299.tif 000006
【図５】
2005094299.tif 000007
【図６】
2005094299.tif 000008
【図７】
2005094299.tif 000009